(57)【要約】  上下端部に水平部を有しその中間が垂直部に形成されて全域にラック歯（２５ａ）を備えたラックレール（２５）の前記ラック歯に噛合うピニオン歯車（１７）と、ラックレールに平行配置された案内レールに案内されて転動する案内輪（１８ａ，１８ｂ，１９ａ，１９ｂ）とを備えた自走台車（１０）の搬送システムにおいて、前記ラックレールが水平部と垂直部と両部の間のカーブ区間とを備え、前記案内レールが前記ラックレールにおける上下の水平部と垂直部、並びに、該水平部と垂直部の間のカーブ区間の当該ラックレールに関して上下面と前後面に位置するように配置されたそれぞれ一対の案内レール（２１ａｂ，２２ａｂ，３２ａｂ）で形成されていると共に、垂直部とカーブ区間の間に、先行する案内輪（１８ａ）が通過するための間隙（３６）を、水平部とカーブ区間の間に後行する案内輪（１９ｂ）が通過するための間隙（３５）をそれぞれ形成した。
2010137108.tif 000002
【特許請求の範囲】
【請求項１】
上，下端部に水平部を備えその中間が垂直部をなすラック歯をもつラックレールと、このラックレールに平行配置された案内レールと、前記ラックレールと案内レールの下端の水平部につながる下部水平レールと、当該ラックレールと案内レールの上端の水平部につながる上部水平レールと、前記ラック歯に噛合うピニオン歯車および案内レール上を転動する案内輪とを備えた自走台車の搬送システムにおいて、
前記台車は、その左右側面にピニオン歯車を仮想正立四角形の対角線の交点に有すると共に当該四角形の頂点に水平かつ垂直に並ぶように配置された四個の案内輪を備え、
前記ラックレールは、水平部と垂直部と両部との間にカーブ区間を備え、
案内レールは、前記ラックレールにおける上，下の水平部と垂直部、並びに、該水平部と垂直部の間のカーブ区間の当該ラックレールに関して上，下面と前後面に位置するように配置された一対の案内レールで形成されていると共に、前記案内レールにおける垂直部とカーブ区間の間に、先行する案内輪が通過するための間隙を、また水平部とカーブ区間の間に前記の先行走行輪に対して対角線上に位置する後行する案内輪が通過するための間隙を、それぞれ形成したことを特徴とする台車を水平姿勢に保持する搬送システム。
【請求項２】
台車は、上下部の水平レールを転動するための走行輪と駆動輪を備え、駆動輪が台車の駆動機構によって強制回転されるように形成した請求項１の搬送システム。
【請求項３】
上下部の水平レールは当該レールに平行なガイドを備え、台車が前記ガイドを挟持して転動する補助案内輪を備えた請求項２の搬送システム。
【請求項４】
ラックレールの手前側に配置される案内レールは、下部水平部の案内レール、垂直部の案内レール、上部カーブ区間の案内レールおよび上部水平部の案内レールからなり、前記垂直部の案内レールと上部カーブ区間の案内レールとの間、および上部カーブ区間の案内レールと上部水平部の案内レールとの間に台車の案内輪が通過する間隙を配置した請求項１〜３のいずれかの搬送システム。
【請求項５】
ラックレールの後面側に配置される案内レールは、下部水平部の案内レール、下部カーブ区間の案内レール、垂直部の案内レールおよび上部水平部の案内レールからなり、前記下部水平部の案内レールと下部カーブ区間の案内レールとの間、および、下部カーブ区間の案内レールと垂直部の案内レールとの間に、台車の案内輪が通過する隙間を配置した請求項１〜３のいずれかの搬送システム。
【請求項６】
前記ラックレールと案内レールを、少なくとも下部のカーブ区間に入る手前の垂直部において切断し、別のラックレールと案内レールを、前記垂直部に真っ直ぐに接続される垂直ラックレール部および垂直案内レール部として配置すると共に、切断された前記カーブ区間のラックレールと案内レールと前記の別の垂直ラックレール部と垂直案内レール部とが、前記切断部のラックレールと案内レールの間に選択的に移動できるようにした請求項１〜５のいずれかの搬送システム。
【発明の詳細な説明】
【技術分野】
【０００１】
本発明は、搬送システムに係わり、更に詳しくは、ビルディングのような建物の複数階にわたり、床や天井などに水平に、また壁などに垂直に敷設したレールに沿ってコンテナあるいは台車からなる搬送体を常に水平姿勢で走行させることができるようにし、レールに沿って配置されたステーションに書類や部品などの搬送物を前記の常時水平姿勢の搬送体から降ろし又は該搬送体に搭載できるようにした搬送システムに関する。
【背景技術】
【０００２】
この種の搬送システムは、本発明の出願人が国際出願した国際公開公報（WO2008/012989）に記載されている。前記公開公報に開示された搬送システムは、まず、建物内部に水平および垂直に敷設されたレールと、レールに沿って敷設されたラックと、レール上を走行する台車に設けた走行輪と、ラックに噛合うピニオンおよびピニオンの駆動部を有する。そして、前記レールは、水平から垂直に又は垂直から水平に向きを変更するカーブ区間とそれに続く垂直区間において、ピニオンに噛合うラックを備えたピニオン用レールと該ピニオン用レールと平行でそれから離間した走行輪用レールとを備えている。また、台車は、左右側面に、前記ピニオン用レールに噛合うピニオンと前記走行輪用レールに支持される走行輪を備え、かつ、ピニオン用レールと走行輪用レールを、前記カーブ区間と当該カーブ区間に続く垂直区間でこの台車が水平姿勢のまま移動できることを特徴としている。【０００３】
前記公開公報に開示された台車の構成の第一例は、左右両側面における中間部の同位相の位置の同軸上にピニオンを備えると共に、台車の走行方向において前記ピニオンを前、後で挟み、かつ、ピニオンの回転軸を上、下で挟むように配置した上下で対をなす前後の走行輪を備え、カーブ区間とこの区間に続く垂直区間で、前、後いずれか一方の走行輪とピニオンがそれぞれのレールに支持されることにより、当該台車を常に水平姿勢に保持して走行できるように構成されたものである。【０００４】
同じく上記公開公報に開示された第二例の台車として、左右両側面における中間部の同位相の同軸上にピニオンを備えると共に、台車の走行方向において前記ピニオンを前、後で挟む対をなす前後の水平部走行輪と、ピニオンの回転軸を上、下で挟む対をなす上下の垂直部走行輪を備えている。そしてレールは、水平から垂直に又は垂直から水平に向きを変更するカーブ区間において、ピニオンに噛合うラックと水平部走行輪の走行面を備えたカーブレールを備えると共に、カーブ区間に続く垂直区間において、ピニオンに噛合うラックと垂直部走行輪の走行面を備えた垂直レールを備えており、カーブ区間では、水平部走行輪とピニオンがカーブレールによって支持され、カーブ区間に続く垂直区間では、垂直部走行輪とピニオンが垂直レールによって支持され、常時、台車が水平姿勢で走行できるように構成されている。【０００５】
さらに上記公開公報に開示された第三例の台車は、左右両側面における中間部の同位相の同軸上にピニオンを備えると共に、当該台車の底部に設けた水平部走行輪と、前記ピニオンの回転軸を上、下で挟んで対をなすように設けた上下の垂直部走行輪を備えている。また、レールは、水平から垂直に又は垂直から水平に向きを変更するカーブ区間において、前記ピニオンに噛合うカーブラックと垂直部走行輪を拘束案内する走行面を備えたカーブレールを備えると共に、当該カーブ区間に続く短い垂直区間において、前記ピニオンに噛合う短いラックと垂直部走行輪の走行面を備えた短い垂直レールを備えており、カーブ区間では、ピニオンがカーブラックに支持されると共に水平部走行輪がカーブレールに支持され、カーブ区間に続く短い垂直区間では、ピニオンと垂直部走行輪とが短いラックを内包した垂直レールによって支持されて常に台車が水平姿勢で走行できるように構成されている。【０００６】
本発明の出願人が先に提案した上記の搬送システムは、ジャイロ手段なしでも台車に積載されたコンテナの姿勢を台車と一体に常に水平姿勢に維持することができ、しかも、レールの向きの変更区間でのカーブ曲率を小さくして搬送システム全体をコンパクトに構築することができる利点を備えたものである。
【先行技術文献】
【特許文献】
【０００７】
【特許文献１】ＰＣＴ出願  国際公開番号ＷＯ ２００８/０１２９８９号
【発明の概要】
【発明が解決しようとする課題】
【０００８】
本発明は、先に出願人が提案した台車を常時水平姿勢で走行させることができる搬送システムの構造をよりシンプルにし、これにより搬送システムの設置工事をより簡単に行うことができ、さらに動作（走行動作）の信頼性を高めた改良された、台車に常時水平姿勢を維持乃至保持させることができる搬送システムを提供することを、その課題とする。
【課題を解決するための手段】
【０００９】
上記課題を解決することを目的としてなされた本発明搬送システムの構成は、上，下端部に水平部を有しその中間が垂直部に形成されて全域にラック歯を備えたラックレールと、このラックレールに平行配置された案内レールと、前記ラックレールと案内レールの下端部側の水平部につながる下部水平レールと、当該ラックレールと案内レールの上端部側の水平部につながる上部水平レールと、前記ラック歯に噛合うピニオン歯車および案内レールに案内されて転動する案内輪とを備えた自走台車の搬送システムにおいて、前記台車は、その左右側面にピニオン歯車を仮想正立四角形の対角線の交点に有すると共に当該四角形の頂点に配置された４個の案内輪を備え、前記ラックレールは、水平部と垂直部と両部との間にカーブ区間を備え、案内レールは、前記ラックレールにおける上，下の水平部と垂直部、並びに、該水平部と垂直部の間のカーブ区間の当該ラックレールに関して上，下面と前後面に位置するように配置された一対の案内レールで形成されていると共に、当該案内レールにおける垂直部とカーブ区間の間に、先行する案内輪が通過するための間隙を、また水平部とカーブ区間の間に前記の先行走行輪に対して対角線上に位置する後行する案内輪が通過するための間隙をそれぞれ形成したことを特徴とするものである。【００１０】
本発明においては、台車が水平レール上を転動するための走行輪と駆動輪を備え、駆動輪が台車の駆動機構によって強制回転される構成にすることができる。【００１１】
また、本発明において、上，下部の水平レールが当該レールに平行なガイドを備え、台車が前記ガイドを挟持しつつこれに沿って転動する補助案内輪を備える構成としても良い。【００１２】
さらに、本発明において、ラックレールに関して手前側に配置される案内レールは、当該ラックレールにおける下部水平部の案内レール、垂直部の案内レール、上部カーブ区間の案内レールおよび上部水平部の案内レールからなる。そして、前記垂直部の案内レールと上部カーブ区間の案内レールとの間、並びに、上部カーブ区間の案内レールと上部水平部の案内レールとの間に、台車の案内輪が通過するための隙間を配置した構成にする。【００１３】
一方、ラックレールに関して後側に配置される案内レールは、下部水平部の案内レール、下部カーブ区間の案内レール、垂直部の案内レールおよび上部水平部の案内レールからなる。そして、下部水平部の案内レールと下部カーブ区間の案内レールとの間、並びに、下部カーブ区間の案内レールと垂直部の案内レールとの間に、台車の案内輪が通過するための隙間を配置した構成とすることができる。【００１４】
なお、本発明においては、前記ラックレールと案内レールを、少なくとも下部のカーブ区間に入る手前の垂直区間において切断し、別のラックレールと案内レールを、前記垂直区間に真っ直ぐに接続される垂直ラックレール部および垂直案内レール部として配置すると共に、切断された前記カーブ区間のラックレールと案内レールと前記の別の垂直ラックレール部と垂直案内レール部とが、選択的に前記切断部のラックレールと案内レールの間に移動できるようにした構成としても良い。
【発明の効果】
【００１５】
本発明搬送システムは、上，下端部に水平部を有しその中間が垂直部に形成されて全域にラック歯を備えたラックレールと、このラックレールに平行配置された案内レールと、前記ラックレールと案内レールの下端部側の水平部につながる下部水平レールと、当該ラックレールと案内レールの上端部側の水平部につながる上部水平レールと、前記ラック歯に噛合うピニオン歯車および案内レールに案内されて転動する案内輪とを備えた自走台車の搬送システムにおいて、前記台車は、その左右側面にピニオン歯車を仮想正立四角形の対角線の交点に有すると共に当該四角形の頂点に配置された４個の案内輪を備え、前記ラックレールは、水平部と垂直部と両部との間にカーブ区間を備え、案内レールは、前記ラックレールにおける上，下の水平部と垂直部、並びに、該水平部と垂直部の間のカーブ区間の当該ラックレールに関して上，下面と前後面に位置するように配置された一対の案内レールで形成されていると共に、当該案内レールにおける垂直部とカーブ区間の間に、先行する案内輪が通過するための間隙を、また水平部とカーブ区間の間に前記の先行走行輪に対して対角線上に位置する後行する案内輪が通過するための間隙をそれぞれ形成したので、台車が水平移動から垂直移動するとき、ラック歯にピニオン歯車が噛合って台車を昇降させ、同時に案内輪が水平および垂直区間にて案内レールの外側面を転動すると共に、カーブ区間において先行する案内輪および該先行案内輪と対角方向に位置する後行する案内輪が間隙を通過して、台車を水平移動から垂直移動に走路を変更することができる。このため、搬送システムの全体構造、より具体的には、方向変換動作を円滑かつ正確に行うことができる方向変更部の構造をよりシンプルにすることができ、これによって設置工事もより簡単に施工でき、走行信頼性の高い搬送システムを提供することができる。
【図面の簡単な説明】
【００１６】
【図１】本発明搬送システムの実施の一例を示す正面側から見た斜視図。
【図２】図１の搬送システムの側面図。
【図３】図１の搬送システムの正面図。
【図４】図１〜図３に示す搬送システムにおける搬送体が水平走行から垂直走行に転移する状態を示す側面図。
【図５】搬送体が垂直走行から水平走行に転移する状態を示す側面図。
【図６】図１〜図３に示す搬送システムにおける搬送体が水平走行から垂直走行に転移する状態を示す側面図。
【図７】図１〜図６に示す搬送システムを基礎にした他の搬送路の構成例を示す側面図。
【発明を実施するための形態】
【実施例１】
【００１７】
図１〜図７は本発明搬送システムの実施の一例を示している。【００１８】
本発明搬送システムは、図１〜３に示すように、搬送体としての台車１０と、建物内部の垂直部およびこの垂直部が水平部に方向変換する部位に敷設されるラック歯を備えたレール２０と、レール２０に連繋される上，下の水平レール４１，４２とを備える。【００１９】
台車１０は、コンテナを形成する筐体１１を備える。筐体１１は、その上部に、開放可能なリド１２を備え、リド１２を開けることで形成された開口から筐体内部に搬送物を収納することができる。筐体１１の下部は車台に形成されている。【００２０】
台車１０の下面には走行輪１３ａ，１３ｂおよび駆動輪１６が、走行方向に関する左右の両側面にはピニオン歯車１７と、４個の案内輪１８ａ，１８ｂ、１９ａ，１９ｂが配置されている。【００２１】
走行輪１３ａ，１３ｂは台車１０の下面の前後に左右の走行輪を１組として組み込まれている。走行輪１３ａ，１３ｂの中間に位置して、駆動輪１６が台車１０の下面に配設され、台車内部に組み込まれた駆動機構に連結されている。上，下部の水平レール４１，４２で作用する直線走行用の２つの補助案内輪１４が、台車１０の下面の前後に、走行輪１３ａ，１３ｂの軸と直角向きの軸に、つまり回転軸を垂直にして、互いに間隔を置いて車軸が車台に保持されている。補助案内輪１４の間隔は上，下部の水平レール４１，４２のガイド４１ａの断面幅に対応している。【００２２】
ピニオン歯車１７は、台車１０の左右側面における下方寄りの略中間位置に配置され、台車内部にある駆動機構によって回転される構成を備えている。また、４個の案内輪１８ａ，１８ｂ、１９ａ，１９ｂは、ピニオン歯車１７の位置を対角線の交点とする仮想正立四角形の隅部（頂点）に、自由回転するように配置されている。４個の案内輪１８ａ〜１９ｂについては右側面のみについて説明したが、ピニオン歯車１７および４個の案内輪１８ａ，１８ｂ、１９ａ，１９ｂは図３に示すように左側面も同様にして組み込まれている。【００２３】
ラック歯を備えたラックレール２５並びに該レール２５に沿って配送された案内レール２１ａ，２１ｂ〜３２ａ，３２ｂ，３３などから成るレール２０は、図１〜３において、台車１０をある階のフロア等の水平面から上層階の水平面（フロア等）に搬送物を台車１０を用いて水平姿勢のままで移動させる場合の敷設態様が模式的に示されている。【００２４】
すなわち、ラックレール２５と各案内レール２１ａなどから成るレール２０は、図１〜図３に示すように、台車１０の走行方向に関し左右両側に一対が配置されて、互いに平行に配置されている。レール２０を構成する各レール部材は、図１〜７においては空中に浮遊しているように図示されているが、実際には適当な部材や架台などによって床、壁などに固定支持されているものである。【００２５】
レール２０を構成するラックレール２５は、台車１０のピニオン歯車１７に噛合うラック歯２５ａを備えている。このラックレール２５は、平行配置された二つの上下端部につながった上，下の水平部と、両水平部の間に、カーブ区間を介して配置された垂直部とを備え、例えば、建物の垂直な壁に沿って敷設されている。このラックレール２５に沿って配置された各案内レールについて、以下に説明する。【００２６】
垂直部のラックレール２５に関して前方（手前側）に位置する案内レール２１ａは、２本のラックレール２５の内側に位置し（図３参照）、ラックレール２５に平行に配置されている。また、ラックレール２５において、その上，下位水平部には、案内レール２２ａ，２２ｂと同３２ａ，３２ｂが、また、ラックレール２５の垂直部に関して後方（背面側）には案内レール２１ｂが、上，下部のカーブ区間には、案内レール２３，３３が、それぞれ配設されている。なお、ラックレール２５の後方に位置する案内レール２１ｂには、前記の各案内レール２２ｂ、案内レール２３、案内レール３２ｂが、一連となる走行経路上に位置している。【００２７】
下方の水平部の案内レール２２ａ，２２ｂはラックレール２５の水平部の内側であって、その水平部を間にした形で平行に配置されている。この案内レール２２ａ，２２ｂの上側面は台車１０の左右の案内輪１８ａ，１８ｂあるいは案内輪１９ｂ，１９ｂの走行方向から見た幅に対応している（図３参照）。【００２８】
下部のカーブ区間の左右の案内レール２３は、ラックレール２５の垂直部の背面側に配置された左右の案内レール２１ｂと、ラックレール２５の水平部の下方側の案内レール２２ｂの間に位置する左右のカーブ区間に配置されている。この下部のカーブ区間の左右の案内レール２３は、左右反転した形の略Ｌ字形に形成されており、一端を下部の水平部の案内レール２２ｂに、他端を垂直部の案内レール２４ｂに向けて配置され、外側面が下部の水平部の案内レール２２ｂ，２２ｂの外側面に連続するように配置されている。このレール２３の外側面のカーブは、ラックレール２５のカーブ区間と曲率中心を共有するが、曲率半径は大きく形成されている。【００２９】
ラックレール２５の垂直部の案内レール２１ａと２１ｂは、左右の外側面が台車１０の案内輪１８ａ，１８ｂあるいは案内輪１９ａ，１９ｂの走行方向に関する幅に対応している（図３参照）。【００３０】
ラックレール２５において、上部のカーブ区間の案内レール３３は、垂直部の案内レール２１ａ，２１ａの上端部に連なるように配置されている。上部カーブ区間の案内レール３３は、反転した略Ｌ字形に形成されたもので、下端側を垂直部の案内レール２１ａに向け、前端部を上部の水平部の案内レール３２ａに向けて配置され、外側面がこれらの垂直区間案内レール２１ａおよび上部の水平部案内レール３２ａの上面に連続するように配置されている。この案内レール３２の外側面は、ラックレール２５の上方のカーブ区間と中心を共有するが、曲率半径は大きく形成されている。【００３１】
ラックレール２５における上部水平部の案内レール３２ａと３２ｂは、例えば、上層階となる場所に配置されている。これらの上部の水平部における左右一対の案内レール３２ａ，３２ｂの幅は、台車１０の案内輪１８ａ，１８ｂあるいは案内輪１９ａ，１９ｂの正面から見た幅（走行方向に関する左右幅）に対応している。【００３２】
ラックレール２５の垂直部の案内レール２１ａ，２１ｂにおいて、当該垂直部の案内レール２１ｂと下部のカーブ区間における案内レール２３との間には、台車１０の案内輪のうち右上の案内案内輪１８ａが通過する間隙３６を、上部の水平部案内レール３２ｂと上部のカーブ区間の案内レール３３との間には、案内輪１８ａと対角方向にあって後行する案内輪１９ｂが通過する間隙３８が形成されている。【００３３】
すなわち、下部の水平部の案内レール２２ｂと下部のカーブ区間の案内レール２３との間に設けた間隙３５は、台車１０の左下にある後行する案内輪１９ｂが通過し得るようになっており、下部のカーブ区間の案内レール２３と垂直部の案内レール２１ｂとの間の間隙３６は、先行する右上の案内輪１８ａが通過しうるようになっている。そして、上部のカーブ区間の案内レール３３と上部の水平部の案内レール３２ａとの間の間隙３８は先行する右上にある案内輪１８ａが通過し、上部のカーブ区間の案内レール３３と垂直部の案内レール２１ａとの間の間隙３７は後行する左下にある案内輪１９ｂが通過し得るように形成されている。【００３４】
建物の床や床に近い水平部分には、下部水平レール４１が敷設されている。下部水平レール４１は、ラックレール２５における下部の水平部の案内レール２２ａ，２２ｂと少しオーバーラップして設けられており、また、図示を省略した水平レール４１の左端側は、この階にあるステーションに向かって延びている。一方、上層階には、駆動輪１６および走行輪１３ａ，１３ｂが転動する上部水平レール４２が敷設されている。上部水平レール４２は、ラックレール２５における上部の水平部の案内レール３２ａ，３２ｂと少しオーバーラップして設けられており、また、このレール４２の図示を省略した右端側は、この階にあるステーションに向かって延びている。これら上，下の水平レール４１と４２は、台車１０の補助案内輪１４が転動するガイド４１ａ，４２ａが長手方向中央に設けられ、台車１０を真っ直ぐに移動させることができるように工夫されている。【００３５】
台車１０は、駆動輪１６および走行輪１３ａ，１３ｂによって、下の階にあるステーションから下部水平レール４１の上を自走すると共に、直線走行の補助案内輪１４によって下部水平レール４１のガイド４１ａに沿って，下部水平レール４１の終端部まで移動する。【００３６】
前記水平レール４１の終端部付近に到達すると、まず案内輪１８ａ，１８ｂが下部水平部の案内レール２２ａ，２２ｂの上側面に接触し、少し走行すると、ピニオン歯車１７がラック歯２５ａに噛合う。台車１０は、図４に示すように、ピニオン歯車１７とラック歯２５ａとによって上昇され、案内輪１８ａが垂直部の案内レール２４ｂの外側面に接触し、案内輪１８ｂが下部カーブ区間の案内レール２３の外側面に接触して、台車１０を水平姿勢に保持したまま、水平から垂直に角度９０°曲がって走行させる。【００３７】
このようにして台車１０がラックレール２５の下部のカーブ区間に入ると、後方（図４の左側）の案内輪１９ａ，１９ｂが垂直部の案内レール２１ａの外側面に接触しかつ自由回転し、案内輪１８ａ、１８ｂが垂直区間案内レール２４ｂの外側面に接触しかつ自由回転し、台車１０を真っ直ぐ（垂直）に上昇させ、図５に示すように、上部のカーブ区間まで移動させる。【００３８】
台車１０が上部のカーブ区間にはいると、その台車１０の案内輪１９ａは上部カーブ区間の案内レール３３の外側面に接触して、この台車１０を垂直方向から水平方向に角度９０°曲がって走行させたあと、案内輪１９ａが上部水平部の案内レール３２ａの外側面に、案内輪１９ｂは間隙３７を通って上部水平部案内レール３２ｂの外側面に接触する。なお、案内輪１８ａは間隙３８を通って上部水平部案内レール３２ａの上側面に、案内輪１８ｂは上部水平区間案内レール３２ｂの上側面を転動する。【００３９】
台車１０の案内輪１８ａ，１８ｂ、１９ａ，１９ｂが上部水平部の案内レール３２ａ，３２ｂの末端に到達するとほぼ同時に、ピニオン歯車１７がラック歯２５ａから外れ、同時に台車１０の走行輪１３ａ，１３ｂが上部水平レール４２に接触しかつ台車１０の駆動輪１６が駆動機構によって回転されて、台車１０が水平移動する。これにより、台車１０は、ラックレール２５を経由して下層階から上層階を水平移動して、その階にあるステーションに到達し、移動を停止する。【００４０】
以上の説明は、下層階から上層階への台車１０の搬送について説明したが、下層階のある場所から上層階のある場所に搬送物を直接垂直移動させる場合、例えば、一階のある場所から三階のある場所に搬送物を直接移動する場合には、ラックレール２５を例えば図７に示すように構成する。【００４１】
これは、ラックレール２５の垂直部の案内レール２１ａ，２１ｂにおける下部カーブ区間の案内レール２３の付近を切断し、図７に仮想線で示した走路切換え移動体４３と同４４を、選択的にラックレール２５，１２５および垂直部の案内レール２１ａ，２１ｂ、１２１ａ，１２１ｂの間に移動することによって行える。【００４２】
すなわち、図７において、下方のラックレール１２５をラックレール２５の垂直部の下端に接続し、下方の垂直部の案内レール部分１２１ａ，１２１ｂは上方の垂直部の案内レール２１ａ，２１ｂに接続するように配置されている。走路切換え移動体４３は、下部のカーブ区間案内レール２３、垂直部の案内レール２１ａ，２１ｂの下端部分２１ａ’，２１ｂ’、ラックレール２５の一部２５’を具備している。一方の切換え移動体４４は、垂直部の案内レール２２１ａ，２２１ｂおよびラック歯車２２５を具備している。２つの切換え移動体４３と４４は、選択的に上下のラックレール２５，１２５と上下の垂直部の案内レール２１ａ，２１ｂ、１２１ａ，１２１ｂとの間に移動される。この水平移動は、たとえば、切換え移動体４３と４４をレールに載せ、油圧シリンダなどによって動かすことで行なうことができる。【００４３】
一方、二階のステーションから一階のステーションへの台車１０の移動は、走路切換え移動体４３を垂直部の案内レール２１ａ，２１ｂ、１２１ａ，１２１ｂの間に移動し、垂直部の案内レール２１ａ，２１ｂに移動させると共に、そのあと、切換え移動体４３を退避させ、前記移動体４４を垂直部の案内レール２１ａ，２１ｂ、１２１ａ，１２１ｂの間に移動させると、台車１０を下降させることができる。【００４４】
なお、このような台車１０の移動は、走路切換え移動体４３に搭載している構成部材群を、図７において左右および上下に反転させる、つまり、上部カーブ区間の案内レール３３、垂直部の案内レール２１ａ，２１ｂの下端２１ａ’，２１ｂ’、ラックレール２５の一部２５’を組み込んだ第三の走路切換え移動体を、垂直部の案内レール２１ａ，２１ｂ、１２１ａ，１２１ｂの間に他の切換え移動体と択一的に移動させることによって、一例として二階から一階に台車の水平走行をさせることなく、直接に台車１０を移動させることも可能になる。
【産業上の利用可能性】
【００４５】
本発明の搬送システムは、オフィス内での文書、郵便物、文具などを、病院内でのカルテ、工場内での部品や製品、更に検体や試薬などの積載物を、当該積載物を常時水平姿勢に保持した状態で走行する台車によって目的場所まで自動搬送することができるので、きわめて有用である。
【符号の説明】
【００４６】
１０            台車
１１            筐体
１２            リド
１３ａ，１３ｂ  走行輪
１４            直線走行用の補助案内輪
１６            駆動輪
１７            ピニオン歯車
１８ａ，１８ｂ  案内輪
１９ａ，１９ｂ  案内輪
２０            レール
２１ａ，２１ｂ  垂直部の案内レール
２２ｂ，２２ｂ  下部水平部の案内レール
２３            下部カーブ区間の案内レール
２５，１２５    ラックレール
２５ａ          ラック歯
３２ａ，３２ｂ  上部水平部の案内レール
３３            上部カーブ区間の案内レール
３５〜３８      間隙
４１            下部水平レール
４２            上部水平レール
４１ａ，４２ａ  ガイド
【図１】
2010137108.tif 000003
【図２】
2010137108.tif 000004
【図３】
2010137108.tif 000005
【図４】
2010137108.tif 000006
【図５】
2010137108.tif 000007
【図６】
2010137108.tif 000008
【図７】
2010137108.tif 000009
【国際調査報告】
2010137108.tif 000010
2010137108.tif 000011
2010137108.tif 000012